(57)【要約】      （修正有）【課題】ワイヤレス通信システムのネットワークのための変調及びトランスポートブロックサイズ（ＴＢＳ）インデクステーブルを選択する方法を提供する。【解決手段】高次変調がサポートされるかを決定するステップ３０２と、高次変調がサポートされるかを示すように、ワイヤレス通信システムの通信装置にシグナリングを送信するステップ３０４と、高次変調がサポートされるかに従って、第１の変調及びトランスポートブロックサイズ（ＴＢＳ）インデクステーブル又は第２の変調及びＴＢＳインデクステーブルを選択するステップ３０６、３０８と、を含む。第１の変調及びＴＢＳインデクステーブルと第２の変調及びＴＢＳインデクステーブルとは、複数の変調及び符号化スキーム（ＭＣＳ）インデクスを含み、各ＭＣＳインデクスは、変調次数とＴＢＳインデクスとに対応する。【選択図】図３
2015201835.tif 000002
【特許請求の範囲】
【請求項１】
ワイヤレス通信システムのネットワークのための方法であって、
高次変調がサポートされるかを決定するステップと、
前記高次変調がサポートされるかを示すように、前記ワイヤレス通信システムの通信装置にシグナリングを送信するステップと、
前記高次変調がサポートされるかに従って、第１の変調及びトランスポートブロックサイズ（ＴＢＳ）インデクステーブル又は第２の変調及びＴＢＳインデクステーブルを選択するステップと、
を含み、
前記第１の変調及びＴＢＳインデクステーブルと前記第２の変調及びＴＢＳインデクステーブルとは、複数の変調及び符号化スキーム（ＭＣＳ）インデクスを含み、各ＭＣＳインデクスは、変調次数とＴＢＳインデクスとに対応し、
前記第１の変調及びＴＢＳインデクステーブルの中の異なる変調次数に対応する隣接するＭＣＳインデクスは、同じＴＢＳインデクスに対応し、
前記第２の変調及びＴＢＳインデクステーブルの中の異なる変調次数に対応する隣接するＭＣＳインデクスは、異なるＴＢＳインデクスに対応する、
方法。
【請求項２】
前記高次変調がサポートされるかに従って、第１の変調及びＴＢＳインデクステーブル又は前記第２の変調及びＴＢＳインデクステーブルを選択するステップは、
前記高次変調がサポートされないとき、前記第１の変調及びインデクステーブルを選択するステップと、
前記高次変調がサポートされるとき、前記第２の変調及びインデクステーブルを選択するステップと、
を含む、請求項１に記載の方法。
【請求項３】
前記ワイヤレス通信システムの前記ネットワークは、前記高次変調がサポートされるかを、前記ネットワークと前記通信装置との間のチャネル品質に従って決定する、請求項１に記載の方法。
【請求項４】
前記高次変調は、２５６直交振幅変調（２５６ＱＡＭ）である、請求項１に記載の方法。
【請求項５】
前記第１の変調及びＴＢＳインデクステーブルの中の再送信に利用されるＭＣＳインデクスの数は、前記第２の変調及びＴＢＳインデクステーブルの中の再送信に利用されるＭＣＳインデクスの数より小さい、請求項１に記載の方法。
【請求項６】
前記第１の変調及びＴＢＳインデクステーブルの中の変調次数の数は、前記第２の変調及びＴＢＳインデクステーブルの中の変調次数の数より小さい、請求項１に記載の方法。
【請求項７】
前記第１の変調及びＴＢＳインデクステーブルの中のＭＣＳインデクスの数と前記第２の変調及びＴＢＳインデクステーブルの中のＭＣＳインデクスの数とは、同じである、請求項１に記載の方法。
【請求項８】
ワイヤレス通信システムの通信装置のための方法であって、
前記ワイヤレス通信システムのネットワークからシグナリングを受信するステップであり、前記シグナリングは、高次変調がサポートされるかを示す、ステップと、
前記シグナリングに従って、第１の変調及びトランスポートブロックサイズ（ＴＢＳ）インデクステーブル又は第２の変調及びＴＢＳインデクステーブルを選択するステップと、
を含み、
前記第１の変調及びＴＢＳインデクステーブルと前記第２の変調及びＴＢＳインデクステーブルとは、複数の変調及び符号化スキーム（ＭＣＳ）インデクスを含み、各ＭＣＳインデクスは、変調次数とＴＢＳインデクスとに対応し、
前記第１の変調及びＴＢＳインデクステーブルの中の異なる変調次数に対応する隣接するＭＣＳインデクスは、同じＴＢＳインデクスに対応し、
前記第２の変調及びＴＢＳインデクステーブルの中の異なる変調次数に対応する隣接するＭＣＳインデクスは、異なるＴＢＳインデクスに対応する、
方法。
【請求項９】
前記シグナリングに従って、第１の変調及びＴＢＳインデクステーブル又は第２の変調及びＴＢＳインデクステーブルを選択するステップは、
前記シグナリングが、前記高次変調がサポートされないと示すとき、前記第１の変調及びインデクステーブルを選択するステップと、
前記シグナリングが、前記高次変調がサポートされると示すとき、前記第２の変調及びインデクステーブルを選択するステップと、
を含む、請求項８に記載の方法。
【請求項１０】
前記高次変調は、２５６直交振幅変調（２５６ＱＡＭ）である、請求項８に記載の方法。
【請求項１１】
前記第１の変調及びＴＢＳインデクステーブルの中の再送信に利用されるＭＣＳインデクスの数は、前記第２の変調及びＴＢＳインデクステーブルの中の再送信に利用されるＭＣＳインデクスの数より小さい、請求項８に記載の方法。
【請求項１２】
前記第１の変調及びＴＢＳインデクステーブルの中の変調次数の数は、前記第２の変調及びＴＢＳインデクステーブルの中の変調次数の数より小さい、請求項８に記載の方法。
【請求項１３】
前記第１の変調及びＴＢＳインデクステーブルの中のＭＣＳインデクスの数と前記第２の変調及びＴＢＳインデクステーブルの中のＭＣＳインデクスの数とは、同じである、請求項８に記載の方法。
【発明の詳細な説明】
【技術分野】
【０００１】
本発明は、ワイヤレス通信システムに関し、より詳細には、高次変調（higher  order  modulation）がワイヤレス通信システムにおいてサポートされるかに従って、変調及びトランスポートブロックサイズ（ＴＢＳ）インデクステーブルを選択する方法に関する。
【背景技術】
【０００２】
３ＧＰＰ（3rd  Generation  Partnership  Project）リリース８標準及び／又は３ＧＰＰリリース９標準をサポートするＬＴＥ（long-term  evolution）システムが、ＵＭＴＳ（universal  mobile  telecommunication  system）の後継として、ＵＭＴＳのパフォーマンスをさらに向上させてユーザの増加するニーズを満たすように、３ＧＰＰによって開発されている。ＬＴＥシステムは、高データレート、低レイテンシ、パケット最適化並びに改良されたシステムキャパシティ及びカバレッジを提供する新しい無線インタフェースと新しい無線ネットワークアーキテクチャとを含む。ＬＴＥシステムにおいて、Ｅ‐ＵＴＲＡＮ（evolved  universal  terrestrial  radio  access  network）として知られる無線アクセスネットワークは、複数の発展型ノード‐Ｂ（ｅＮＢ）を含み、ｅＮＢは、複数のユーザ機器（ＵＥ）と通信し、ＮＡＳ（Non-Access  Stratum）制御のためにモビリティ管理エンティティ（ＭＭＥ）、サービングゲートウェイなどを含むコアネットワークと通信する。
【０００３】
ＬＴＥ‐Ａ（LTE-advanced）システムは、その名が暗に示すとおり、ＬＴＥシステムの発展したものである。ＬＴＥ‐Ａシステムは、電力状態間をより速く切り替えることを狙い、ｅＮＢのカバレッジ境界におけるパフォーマンスを改良し、キャリアアグリゲーション（ＣＡ）、協調マルチポイント（ＣｏＭＰ）送信／受信、アップリンク（ＵＬ）マルチ入力マルチ出力（multiple-input  multiple-output）（ＵＬ‐ＭＩＭＯ）などの進化した手法を含む。ＬＴＥ‐Ａシステムにおいて互いに通信するＵＥとｅＮＢとについて、ＵＥとｅＮＢとは、３ＧＰＰリリース１０又は以降のバージョンなどの、ＬＴＥ‐Ａシステム向けに開発された標準をサポートしなければならない。
【０００４】
ホットスポットゾーン向けに低電力送信ノード（例えば、ピコセル、フェムトセルなど）を用いた小セル配備が、次世代のワイヤレスシステム及び標準（例えば、ＬＴＥ‐Ａ）に関して高い関心を集めている。小セルによりサービスされるモバイル装置は、被る経路損失が小さく、それゆえに、より良好なチャネル利得を享受すると予期される。さらに、小セルは、典型的な基地局と比べて、より小さいセルカバレッジを有する。それゆえに、小セルによりサービスされるモバイル装置は、より低拡散の、周波数フラットなワイヤレスチャネルを有すると予期され得る。こうした状態において、高次変調（例えば、２５６直交振幅変調（２５６ＱＡＭ））が、より良好なワイヤレスチャネル利得を享受するために導入されることがある。
【先行技術文献】
【非特許文献】
【０００５】
【非特許文献１】「物理チャネル及び変調（Physical  Channels  and  Modulation）」、３ＧＰＰ  ＴＳ  ３６．２１３、Ｖ１１.４．０、米国、２０１３年０９月
【発明の概要】
【発明が解決しようとする課題】
【０００６】
高次変調を導入すると、変調及び符号化スキーム（ＭＣＳ）インデクスとトランスポートブロックサイズ（ＴＢＳ）インデクスとの間のレガシーマッピング（すなわち、変調及びＴＢＳインデクステーブル）は、変更される必要がある。したがって、レガシーシステム構造を維持しながら変調及びＴＢＳインデクステーブルを変更する方法が、論じられるトピックになる。
【課題を解決するための手段】
【０００７】
上記課題を解決するために、本発明は、高次変調がワイヤレス通信システムにおいてサポートされるかに従って、変調及びトランスポートブロックサイズ（ＴＢＳ）インデクステーブルを選択する方法を提供する。
【０００８】
一態様において、本発明は、ワイヤレス通信システムのネットワークのための方法を開示し、該方法は、高次変調がサポートされるかを決定するステップと、高次変調がサポートされるかを示すように、ワイヤレス通信システムの通信装置にシグナリングを送信するステップと、高次変調がサポートされるかに従って、第１の変調及びトランスポートブロックサイズ（ＴＢＳ）インデクステーブル又は第２の変調及びＴＢＳインデクステーブルを選択するステップと、を含み、第１の変調及びＴＢＳインデクステーブルと第２の変調及びＴＢＳインデクステーブルとは、複数の変調及び符号化スキーム（ＭＣＳ）インデクスを含み、各ＭＣＳインデクスは、変調次数とＴＢＳインデクスとに対応し、第１の変調及びＴＢＳインデクステーブルの中の異なる変調次数に対応する隣接するＭＣＳインデクスは、同じＴＢＳインデクスに対応し、第２の変調及びＴＢＳインデクステーブルの中の異なる変調次数に対応する隣接するＭＣＳインデクスは、異なるＴＢＳインデクスに対応する。
【０００９】
別の態様において、本発明は、ワイヤレス通信システムの通信装置のための方法を開示し、該方法は、ワイヤレス通信システムのネットワークからシグナリングを受信するステップであり、シグナリングは、高次変調がサポートされるかを示す、ステップと、シグナリングに従って、第１の変調及びトランスポートブロックサイズ（ＴＢＳ）インデクステーブル又は第２の変調及びＴＢＳインデクステーブルを選択するステップと、を含み、第１の変調及びＴＢＳインデクステーブルと第２の変調及びＴＢＳインデクステーブルとは、複数の変調及び符号化スキーム（ＭＣＳ）インデクスを含み、各ＭＣＳインデクスは、変調次数とＴＢＳインデクスとに対応し、第１の変調及びＴＢＳインデクステーブルの中の異なる変調次数に対応する隣接するＭＣＳインデクスは、同じＴＢＳインデクスに対応し、第２の変調及びＴＢＳインデクステーブルの中の異なる変調次数に対応する隣接するＭＣＳインデクスは、異なるＴＢＳインデクスに対応する。
【００１０】
本発明の上記及び他の目的が、様々な図表及び図面に例示される下記の好適な実施形態の詳細な説明を読んだ当業者に明らかになるであろう。
【図面の簡単な説明】
【００１１】
【図１】本発明の一例に従うワイヤレス通信システムの概略図である。
【図２】本発明の一例に従う通信装置の概略図である。
【図３】本発明の一例に従うプロセスのフローチャートである。
【図４】本発明の一例に従う変調及びトランスポートブロックサイズインデクステーブルの概略図である。
【図５】本発明の一例に従う別の変調及びトランスポートブロックサイズインデクステーブルの概略図である。
【図６】本発明の一例に従う別のプロセスのフローチャートである。
【発明を実施するための形態】
【００１２】
図１を参照すると、図１は、本発明の一例に従うワイヤレス通信システム１０の概略図である。ワイヤレス通信システム１０は、簡潔に、ネットワークと複数の通信装置とから成る。ワイヤレス通信システム１０は、時分割複信（time-division  duplexing）（ＴＤＤ）モード及び／又は周波数分割複信（frequency-division  duplexing）（ＦＤＤ）モードをサポートしてよい。すなわち、ネットワークと通信装置とは、（１又は複数の）ＦＤＤ搬送波及び／又は（１又は複数の）ＴＤＤ搬送波を介して互いに通信することができる。さらに、ワイヤレス通信システム１０は、キャリアアグリゲーション（ＣＡ）をサポートしてもよい。すなわち、ネットワークと通信装置とは、プライマリセル（例えば、プライマリコンポーネントキャリア）と１又は複数のセカンダリセル（例えば、セカンダリコンポーネントキャリア）とを含む複数のセル（例えば、複数の搬送波）を介して互いに通信することができる。例えば、プライマリセルがＴＤＤ搬送波であってよく、セカンダリセルがＦＤＤ搬送であってよい。別の例において、プライマリセルがＦＤＤ搬送波であってよく、セカンダリセルがＴＤＤ搬送波であってよい。３ＧＰＰ  ＬＴＥリリース１０／１１／１２に準拠するＣＡについて、５つのセル（例えば、サービングセル）が、通信装置とネットワークとによってサポートされてよい。
【００１３】
図１において、ネットワークと通信装置とは、ワイヤレス通信システム１０の構造を例示することに単に利用される。実際には、ネットワークは、ＵＭＴＳ（universal  mobile  telecommunications  system）に複数のノード‐Ｂ（ＮＢ）を含むＵＴＲＡＮ（universal  terrestrial  radio  access  network）であってよい。別の例において、ネットワークは、ＬＴＥ（long  term  evolution）システム、ＬＴＥ−Ａ（LTE-Advanced）又はＬＴＥ‐Ａシステムの発展したものに複数の発展型ＮＢ（ｅＮＢ）及び／又は中継装置を含む発展型ＵＴＲＡＮ（Ｅ−ＵＴＲＡＮ）であってよい。
【００１４】
さらに、ネットワークは、ＵＴＲＡＮ／Ｅ−ＵＴＲＡＮとコアネットワークとの双方を含んでもよく、コアネットワークには、モビリティ管理エンティティ（ＭＭＥ）、サービングゲートウェイ（Ｓ‐ＧＷ）、パケットデータネットワーク（ＰＤＮ）ゲートウェイ（Ｐ‐ＧＷ）、自己組織化ネットワーク（ＳＯＮ）サーバ及び／又は無線ネットワークコントローラ（ＲＮＣ）などが含まれる。換言すると、通信装置によって送信された情報をネットワークが受信した後、情報はＵＴＲＡＮ／Ｅ−ＵＴＲＡＮによってのみ処理されてよく、情報に対応する決定がＵＴＲＡＮ／Ｅ−ＵＴＲＡＮにおいてなされる。別法として、ＵＴＲＡＮ／Ｅ−ＵＴＲＡＮは情報をコアネットワークに転送してよく、情報に対応する決定が、コアネットワークが情報を処理した後にコアネットワークにおいてなされる。さらに、情報はＵＴＲＡＮ／Ｅ−ＵＴＲＡＮとコアネットワークとの双方によって処理されてもよく、ＵＴＲＡＮ／Ｅ−ＵＴＲＡＮとコアネットワークとによって協調及び／又は協力が行われた後に決定がなされる。
【００１５】
通信装置は、ユーザ機器（ＵＥ）、低コスト装置（例えば、マシンタイプ通信（ＭＴＣ）装置）、デバイス・ツー・デバイス（Ｄ２Ｄ）装置、携帯電話、ラップトップ、タブレットコンピュータ、電子ブック、ポータブルコンピュータシステム又はこれらの組み合わせであってよい。さらに、ネットワークと通信装置とは、方向（すなわち、送信方向）に従って送信器又は受信器として見なされてよく、例えば、アップリンク（ＵＬ）について、通信装置が送信器であってネットワークが受信器であり、ダウンリンク（ＤＬ）について、ネットワークが送信器であって通信装置が受信器である。
【００１６】
図２は、本発明の一例に従う通信装置２０の概略図である。通信装置２０は、図１に示される通信装置又はネットワークであってよいが、本明細書において限定されない。通信装置２０には、マイクロプロセッサ又は特定用途向け集積回路（ＡＳＩＣ）などの処理手段２００と、記憶ユニット２１０と、通信インタフェースユニット２２０とを含んでよい。記憶ユニット２１０は、プログラムコード２１４を記憶することができる任意のデータ記憶装置であってよく、プログラムコード２１４は、処理手段２００によってアクセスされ、実行される。記憶ユニット２１０の例には、これらに限定されないが、加入者識別モジュール（ＳＩＭ）、読取専用メモリ（ＲＯＭ）、フラッシュメモリ、ランダムアクセスメモリ（ＲＡＭ）、コンパクトディスク読取専用メモリ（ＣＤ‐ＲＯＭ）、デジタル多用途ディスクＲＯＭ（ＤＶＤ‐ＲＯＭ）、ブルーレイディスクＲＯＭ（ＢＤ‐ＲＯＭ）、磁気テープ、ハードディスク、光学データ記憶装置、不揮発性記憶ユニット、非一時的コンピュータ可読媒体（例えば、有形媒体）などが含まれる。通信インタフェースユニット２２０は、好ましくはトランシーバであり、処理手段２００の処理結果に従って信号（例えば、データ、信号、メッセージ及び／又はパケット）を送信し及び受信することに使用される。
【００１７】
図３は、本発明の一例に従うプロセス３０のフローチャートである。プロセス３０は、変調及びトランスポートブロックサイズ（ＴＢＳ）テーブルを選択するためにワイヤレス通信システム（例えば、図１に示されるワイヤレス通信システム１０）に利用されてよく、変調及びＴＢＳインデクステーブルは、複数の変調及び符号化スキーム（modulation  and  coding  scheme）（ＭＣＳ）インデクスを含み、各ＭＣＳインデクスは、変調次数（modulation  order）とＴＢＳインデクスとに対応する。プロセス３０は、プログラムコード２１４へとコンパイルされてよく、下記のステップを含む。
【００１８】
ステップ３００：開始。
【００１９】
ステップ３０２：高次変調がサポートされるかを決定する。
【００２０】
ステップ３０４：高次変調がサポートされるかを示すように、ワイヤレス通信システムの通信装置にシグナリング（signaling）を送信する。
【００２１】
ステップ３０６：高次変調がサポートされないとき、第１の変調及びトランスポートブロックサイズ（ＴＢＳ）テーブルを選択する。
【００２２】
ステップ３０８：高次変調がサポートされるとき、第２の変調及びＴＢＳテーブルを選択する。
【００２３】
ステップ３１０：終了。
【００２４】
プロセス３０に従い、ワイヤレス通信システムのネットワークは、ワイヤレス通信システムのネットワークと通信装置との間のワイヤレスチャネル品質に従って、高次変調（例えば、２５６直交振幅変調（２５６ＱＡＭ））がサポートされるかを決定する。ネットワークは、機能フラグ又は特徴フラグによって高次変調がサポートされるかを示すように、ワイヤレス通信システムの通信装置にシグナリング又はコンフィギュレーションを送信してよい。シグナリングは、より高いレイヤのメッセージ（例えば、無線リソース制御（ＲＲＣ）メッセージ）又は動的シグナリング（例えば、ダウンリンク制御情報（ＤＣＩ）メッセージの中のビット）であってよく、本明細書において限定されない。高次変調の使用は低次変調の使用を禁止しないことに留意すべきである。例えば、高次変調がサポートされないとき、データ送信に利用可能な変調フォーマットは、ＱＰＳＫ、１６ＱＡＭ及び６４ＱＡＭである。高次変調がサポートされるとき、データ送信に利用可能な変調フォーマットは、ＱＰＳＫ、１６ＱＡＭ、６４ＱＡＭ及び２５６ＱＡＭになる。次に、ネットワークと通信装置との双方が、高次変調がサポートされるかに従って、第１の変調及びＴＢＳインデクステーブル又は第２の変調及びインデクステーブルを選択する。シグナリングが、ネットワークと通信装置との間のデータ送信向けに高次変調がサポートされないことを示すとき、ネットワークと通信装置との双方は、第１の変調及びＴＢＳテーブルを選択し、第１の変調及びＴＢＳインデクステーブルの中の異なる変調次数に対応する隣接するＭＣＳインデクスは、同じＴＢＳインデクスに対応する（すなわち、同じＴＢＳ及び同じスペクトル効率）。シグナリングが、ネットワークと通信装置との間のデータ送信向けに高次変調がサポートされることを示すとき、ネットワークと通信装置との双方は、第２の変調及びＴＢＳテーブルを選択し、第２の変調及びＴＢＳインデクステーブルの中の異なる変調次数に対応する隣接するＭＣＳインデクスは、異なるＴＢＳインデクスに対応する。それゆえに、選択された変調及びＴＢＳインデクステーブルに従い、ネットワークと通信装置とは、データ送信の下記プロセスを実行することができる。結果として、高次変調がワイヤレス通信システムに導入され、１のインデクス（１ビット）が、異なる変調次数に対応する各々の隣接するＭＣＳインデクスについて節約されることができるため、ＭＣＳインデクスとＴＢＳインデクスとの間のマッピングを示すビット数は、変えられずに保持することができる。
【００２５】
詳細には、ワイヤレス通信システムのネットワークは、高次変調がデータ送信向けにサポートされるかをネットワークと通信装置の間のチャネル品質に従って判定し、高次変調がサポートされるかを示すシグナリングを通信装置に送信してよい。例えば、ネットワークが小セル（例えば、ピコセル又はフェムトセル）であるとき、ネットワークは、より少ない経路損失とより良好なワイヤレスチャネル利得とに起因してデータ送信に高次変調を利用し、高次変調がサポートされると決定してよい。シグナリングが、高次変調がサポートされないと示すとき、ネットワークと通信装置との双方は、第１の変調及びＴＢＳインデクステーブルを選択する。第１の変調及びＴＢＳインデクステーブルにおいて、異なる変調次数に対応する隣接するＭＣＳインデクスは、同じＴＢＳインデクスに対応する。すなわち、第１の変調及びＴＢＳインデクステーブルの中の変調次数切り替え点において（すなわち、隣接するＭＣＳインデクスが異なる変調次数に対応するとき）、隣接するＭＣＳインデクスは、同じＴＢＳインデクスに対応する。同じＴＢＳインデクスに対応する隣接するＭＣＳインデクスは、同じＴＢＳインデクスに起因して同じリソース効率を備えるであろうことに留意されたい。変調次数切り替え点においてより小さい変調次数を有するＭＣＳインデクスは、より高い符号レートを備え、周波数フラットチャネルにより適するであろうし、変調次数切り替え点においてより大きい変調次数を有するＭＣＳインデクスは、より低い符号レートを有し、周波数選択性チャネルにより適するであろう。こうした状態において、ワイヤレス通信システムの異なるワイヤレスチャネルへの適応性が、高次変調がサポートされないときに改良されることができる。
【００２６】
一方、シグナリングが、高次変調がサポートされると示すとき、ネットワークと通信装置との双方は、第２の変調及びＴＢＳインデクステーブルを選択し、第２の変調及びＴＢＳインデクステーブルは、第１の変調及びＴＢＳインデクステーブルを変更することを介して取得することができる。高次変調がサポートされ、ＭＣＳインデクスとＴＢＳインデクスとの間のマッピングを示すビット数が同じであることが予期されるため、第１の変調及びインデクステーブルの中のＭＣＳインデクスとＴＢＳインデクスとの間のいくつかのマッピングが、削除されることが必要とされる。上記からわかるであろうとおり、第１の変調及びＴＢＳインデクステーブルの中に、異なるワイヤレスチャネルへの適応性のために設計された同じＴＢＳインデクステーブルに対応する隣接するＭＣＳインデクスが存在する。高次変調がサポートされるとき、ワイヤレスチャネル品質は、より少ない経路損失及びより良好なワイヤレスチャネル利得であると予期される。例えば、ワイヤレスチャネルは、小セル配備下で、より良好なワイヤレスチャネル利得やより少ない経路損失を享受することができ、周波数選択制チャネルよりもむしろ周波数フラットチャネルであると予期され得る。こうした状態において、第１の変調及びＴＢＳインデクステーブルの中の変調次数切り替え点における適応性のある設計は、必ずしも必要ない。したがって、第１の変調及びＴＢＳインデクステーブルの中の変調次数切り替え点の各々における隣接するＭＣＳインデクスのうちのより大きい変調次数を有するＭＣＳインデクスが、削除されてよく、追加のＭＣＳインデクスが高次変調のために取得されてよい。変調次数切り替え点の各々における隣接するＭＣＳインデクスのうちのより大きい変調次数を有するＭＣＳインデクスを削除した後、変調次数切り替え点における隣接するＭＣＳインデクスは、第２の変調及びＴＢＳインデクステーブルの中の異なるＴＢＳインデクスに対応する。結果として、第２の変調及びＴＢＳインデクステーブルの中のＭＣＳインデクスを示すためのビット数は、高次変調がサポートされるとき、第１の変調及びＴＢＳインデクステーブルの中のＭＣＳインデクスを示すためのビット数と同じままにすることができる。
【００２７】
適切な変調及びＴＢＳインデクステーブルが選択された後、ネットワークは、選択された変調及びＴＢＳインデクステーブルを利用して、ＭＣＳインデクスを通信装置に示すための対応するＭＣＳビットをワイヤレスチャネル品質又はスケジューリング決定に基づいて決定し、選択された変調及びインデクステーブルと決定されたＭＣＳインデクスとを利用して、送信されるデータの変調次数とＴＢＳとを決定する。一方、通信装置は、選択された変調及びＴＢＳインデクステーブルを利用して、受信したＭＣＳインデクスビットをデコードし、選択された変調及びＴＢＳインデクステーブルとデコードしたＭＣＳインデクスとを利用して、受信したデータの変調次数とＴＢＳとを決定する。結果として、高次変調がワイヤレス通信システムに導入され、ＭＣＳインデクスとＴＢＳインデクスとの間のマッピングを示すビット数は、変えられずに保持することができる。
【００２８】
第２の変調及びＴＢＳインデクステーブルは、高次変調に対応するマッピングを有することに留意されたい。したがって、第２の変調及びＴＢＳインデクステーブルの中の変調次数の数は、第１の変調及びＴＢＳインデクステーブルの中の変調次数の数より大きくなる。
【００２９】
図４を参照すると、図４は、本発明の一例に従う変調及びＴＢＳインデクステーブル４０の概略図であり、変調及びＴＢＳインデクステーブル４０は、プロセス３０の第１の変調及びＴＢＳインデクステーブルであり得る。図４に示されるとおり、変調及びＴＢＳインデクステーブル４０は、５のＭＣＳインデクスビットによって示される３２の異なるＭＣＳインデクスを有し、３の変調次数２、４及び６が、変調及びＴＢＳインデクステーブル４０においてサポートされる。３２のＭＣＳインデクスのうち、ＭＣＳインデクス２９、３０及び３１は、再送信の対処に利用される。変調及びＴＢＳインデクステーブル４０からわかるとおり、変調次数切り替え点が、ＭＣＳインデクス９と１０との間にあり、ＭＣＳインデクス９と１０とは、同じＴＢＳインデクス９に、及び異なる変調次数２と４とに、それぞれ対応する。同様にして、別の変調次数切り替え点が、ＭＣＳインデクス１６と１７との間にあり、ＭＣＳインデクス１６と１７とは、同じＴＢＳインデクス１５に、及び異なる変調次数４と６とに、それぞれ対応する。すなわち、変調及びＴＢＳインデクステーブル４０の中の変調次数切り替え点における隣接するＭＣＳインデクスは、同じＴＢＳインデクスを備える。
【００３０】
図５を参照すると、図５は、本発明の一例に従う変調及びＴＢＳインデクステーブル５０の概略図であり、変調及びＴＢＳインデクステーブル５０は、プロセス３０の第２の変調及びＴＢＳインデクステーブルであり得る。図４に示される変調及びＴＢＳインデクステーブル４０と同様に、変調及びＴＢＳインデクステーブル５０は、５のＭＣＳインデクスビットによって示される３２の異なるＭＣＳインデクスを有し、４の変調次数２、４、６及び８が、変調及びＴＢＳインデクステーブル５０においてサポートされる。高次変調（すなわち、変調次数８）が変調及びＴＢＳインデクステーブル５０に導入されるため、追加のＭＣＳインデクスが、高次変調の再送信に対処するために必要とされる。したがって、ＭＣＳインデクス２８‐３１が、変調及びＴＢＳインデクステーブル５０において、再送信の対処に利用される。図５からわかるであろうとおり、変調次数切り替え点が、ＭＣＳインデクス９と１０との間に存在し、ＭＣＳインデクス９と１０とは、異なるＴＢＳインデクス９と１０とに、及び異なる変調次数２と４とに、それぞれ対応する。第１の変調及びＴＢＳインデクステーブルを変更する上記の原理に基づいて、変更及びＴＢＳインデクステーブル５０の中のＭＣＳインデクス９と変更及びＴＢＳインデクステーブル４０の中のＭＣＳインデクス９とは、同じである。換言すると、変更及びＴＢＳインデクステーブル４０の中のＭＣＳインデクス１０は、変更及びＴＢＳインデクステーブル４０を変更することによって変更及びＴＢＳインデクステーブル５０を取得するときに削除される。同様にして、別の変調次数切り替え点における隣接するＭＣＳインデクス１５、１６は、異なるＴＢＳインデクス１５、１６にそれぞれ対応し、さらに別の変調次数切り替え点における隣接するＭＣＳインデクス２０、２１は、異なるＴＢＳインデクス２０、２１に対応する。すなわち、変調及びＴＢＳインデクステーブル５０の中の変調次数切り替え点の各々における隣接するＭＣＳインデクスは、異なるＴＢＳインデクスに対応する。データ送信のＭＣＳインデクスを示すためのＭＣＳビットは、高次変調がサポートされる間、同じに保持することができる。
【００３１】
種々のアプリケーション及び設計コンセプトに従い、当業者は、適切な代替及び変更に気付くであろう。例えば、プロセス３０は、上記の例に示されるとおりにＤＬ送信に利用されることに限定されず、ＵＬ送信に利用されるように変更されてよい。
【００３２】
上記の例において変調及びＴＢＳインデクステーブルを選択する通信装置のプロセスは、図６に示されるプロセス６０に要約することができる。プロセス６０は、変調及びＴＢＳテーブルを選択するために、ワイヤレス通信システム（例えば、図１に示されるワイヤレス通信システム１０）の通信装置に利用されてよく、変調及びＴＢＳインデクステーブルは、複数のＭＣＳインデクスを含み、各ＭＣＳインデクスは、変調次数とＴＢＳインデクスとに対応する。プロセス６０は、プログラムコード２１４へとコンパイルされてよく、下記のステップを含む。
【００３３】
ステップ６００：開始。
【００３４】
ステップ６０２：ワイヤレス通信システムのネットワークからシグナリングを受信する。シグナリングは、高次変調がサポートされるかを示す。
【００３５】
ステップ６０４：高次変調がサポートされないとき、第１の変調及びＴＢＳテーブルを選択する。
【００３６】
ステップ６０６：高次変調がサポートされるとき、第２の変調及びＴＢＳテーブルを選択する。
【００３７】
ステップ６０８：終了。
【００３８】
プロセス６０に従い、ワイヤレス通信システムの通信装置が、ワイヤレス通信システムのネットワークからシグナリングを受信して、高次変調（例えば、２５６ＱＡＭ）がサポートされるかを判定する。シグナリングは、より高いレイヤのメッセージ（例えば、ＲＲＣメッセージ）又は動的シグナリング（例えば、ＤＣＩメッセージの中のビット）であってよく、本明細書において限定されない。次に、通信装置は、シグナリングに従って、第１の変調及びＴＢＳインデクステーブル又は第２の変調及びインデクステーブルを選択する。シグナリングが、ネットワークと通信装置との間のデータ送信向けに高次変調がサポートされないと示すとき、通信装置は、第１の変調及びＴＢＳテーブルを選択し、第１の変調及びＴＢＳインデクステーブルの中の変調次数切り替え点における隣接するＭＣＳインデクスは、同じＴＢＳインデクスに対応する。シグナリングが、ネットワークと通信装置との間のデータ送信向けに高次変調がサポートされると示すとき、通信装置は、第２の変調及びＴＢＳテーブルを選択し、第２の変調及びＴＢＳインデクステーブルの中の変調次数切り替え点における隣接するＭＣＳインデクスは、異なるＴＢＳインデクスに対応する。適切な変調及びＴＢＳインデクステーブルが選択された後、通信装置は、選択された変調及びＴＢＳインデクステーブルを利用して、受信したＭＣＳインデクスビットをデコードし、選択された変調及びＴＢＳインデクステーブルとデコードしたＭＣＳインデクスとを利用して、受信したデータの変調次数とＴＢＳとを決定する。結果として、高次変調がワイヤレス通信システムに導入され、ＭＣＳインデクスとＴＢＳインデクスとの間のマッピングを示すビット数は、変えられずに保持することができる。
【００３９】
概括すると、上記の例は、２の変調及びＴＢＳインデクステーブルの間で変調及びＴＢＳインデクステーブルを選択し、上記２の変調及びＴＢＳインデクステーブルは、高次変調がサポートされるかを指し示すものに基づいて、変調次数切り替え点の各々における隣接するＭＣＳインデクスが同じＴＢＳインデクスに対応するかによって区別される。結果として、高次変調がワイヤレス通信システムに導入され、ＭＣＳインデクスとＴＢＳインデクスとの間のマッピングを示すビット数は、同じままにすることができる。
【００４０】
当業者は、本発明の教示を心に留めながら、本願の装置及び方法に係る多数の変更及び代替がなされ得ることに容易に気付くであろう。したがって、上記の開示は、添付されるクレームの境界及び範囲によってのみ限定されるものとみなされるべきである。
【００４１】
関連出願の相互参照
本出願は、２０１４年１月２９日に申請され、本明細書において参照により援用される米国仮出願第６１／９３２，８１４号の利益を主張する。
【符号の説明】
【００４２】
１０  ワイヤレス通信システム
２０  通信装置
２００  処理手段
２１０  記憶ユニット
２１４  プログラムコード
２２０  通信インタフェースユニット
【図１】
2015201835.tif 000003
【図２】
2015201835.tif 000004
【図３】
2015201835.tif 000005
【図４】
2015201835.tif 000006
【図５】
2015201835.tif 000007
【図６】
2015201835.tif 000008
【外国語明細書】
2015201835000001.pdf